(57)【要約】【課題】  型枠を支持する端太材の設置を省くとともに、コンクリートの硬化後には補強材を必要としない保温板の形成方法を提供することである。【解決手段】  保温板の形成方法は、発泡樹脂製の保温板本体２の前面５または後面６のうちの少なくとも一面における上面から下面、一側面から他側面、上面から下面および一側面から他側面のいずれかにかけて、厚さ方向に切り込まれた垂直スリット７と、該垂直スリット７の先端部に垂直スリット７と直交して切り込まれた水平スリット８とからなる嵌合用スリット３を形成した後、該嵌合用スリット３に上面、下面、側面のいずれかから補強材４を差し込むことである。【選択図】  図１
2009287240.tif 000002
【特許請求の範囲】
【請求項１】
発泡樹脂製の保温板本体の前面または後面のうちの少なくとも一面における上面から下面、一側面から他側面、上面から下面および一側面から他側面のいずれかにかけて、厚さ方向に切り込まれた垂直スリットと、該垂直スリットの先端部に垂直スリットと直交して切り込まれた水平スリットとからなる嵌合用スリットを形成した後、該嵌合用スリットに上面、下面、側面のいずれかから補強材を差し込むことを特徴とする保温板の形成方法。
【請求項２】
嵌合用スリットは縦側嵌合用スリットと横側嵌合用スリットとを交差して形成することを特徴とする請求項１に記載の保温板の形成方法。
【請求項３】
保温板本体の側面から横側嵌合用スリットに補強材を差し込んだ後、保温板本体の上面または下面から縦側嵌合用スリットに補強材を差し込むことを特徴とする請求項２に記載の保温板の形成方法。
【発明の詳細な説明】
【技術分野】
【０００１】
本願発明は鉄筋コンクリート造の躯体の内側などに張って使用するか、あるいは型枠の堰板に使用する保温板の形成方法に関するものである。
【背景技術】
【０００２】
鉄筋コンクリート造の躯体の内側に張る保温板としては、図１２の（１）に示すようなものが使用されている。これは発泡樹脂製の保温板３７の一面に硬質合成樹脂製の補強材３８が一体的に設置されたものであり、これが同図の（２）に示すように、型枠３９の堰板として使用され、縦横の端太材４０、４１で支持されている。また、その他の保温板としては、例えば特公平７−６２４４号公報の発明が知られている。
【特許文献１】特公平７−６２４４号公報
【発明の開示】
【発明が解決しようとする課題】
【０００３】
しかし、上記の保温板には硬質合成樹脂製の補強材が一体的に設置されているが、この補強材では強度が足りないため型枠の堰板に使用するときには縦横の端太材で支持する必要があった。またコンクリートが硬化して型枠を解体した後にも、補強材が保温板に一体となっているため（保温板として使用するには補強材は不要になる）非経済的であった。
【０００４】
本願発明はこれらの問題に鑑みてなされたものであり、その目的は、型枠を支持する端太材の設置を省くとともに、コンクリートの硬化後には補強材を必要としない保温板の形成方法を提供することである。
【課題を解決するための手段】
【０００５】
以上の課題を解決するための保温板の形成方法は、発泡樹脂製の保温板本体の前面または後面のうちの少なくとも一面における上面から下面、一側面から他側面、上面から下面および一側面から他側面のいずれかにかけて、厚さ方向に切り込まれた垂直スリットと、該垂直スリットの先端部に垂直スリットと直交して切り込まれた水平スリットとからなる嵌合用スリットを形成した後、該嵌合用スリットに上面、下面、側面のいずれかから補強材を差し込むことを特徴とする。また嵌合用スリットは縦側嵌合用スリットと横側嵌合用スリットとを交差して形成することを含む。また保温板本体の側面から横側嵌合用スリットに補強材を差し込んだ後、保温板本体の上面または下面から縦側嵌合用スリットに補強材を差し込むことを含むものである。
【発明の効果】
【０００６】
保温板を型枠の堰板として使用するときに、補強材を嵌合用スリットに保温板の上面、下面、側面のいずれかの側から差し込むことにより、堰板を支持する縦横いずれかの端太材の設置を省くことができる。またコンクリートが硬化して型枠を解体した後には、補強材を保温板の上面、下面、側面のいずれかの側から引き抜くことができるので、補強材のない保温板として使用することができる。また嵌合用スリットには使用用途に応じた形状の補強材を差し込むことができる。また補強材を保温板に交差状に差し込むことができる。
【発明を実施するための最良の形態】
【０００７】
以下、本願発明の保温板の形成方法の実施の形態について説明する。各実施の形態において同じ構成は同じ符号を付して説明し、異なった構成は異なった符号を付して説明する。
【０００８】
この保温板は鉄筋コンクリート造の躯体の内側に張り付けて断熱材として使用するため、はじめは型枠内側の堰板として使用するが、該型枠の解体後には保温板として使用される。
【０００９】
図１〜図４は第１の実施の形態の保温板１の形成方法である。この保温板１は保温板本体２の一面（前面または後面）に形成された嵌合用スリット３に補強材４が取外自在に差し込まれて構成されている。この保温板本体２は厚さ４０ｍｍ以上で、熱抵抗値１．１８ｍ２Ｋ／Ｗ以上を有し、かつ曲げ強さ３５Ｎ／ｃｍ２以上の平面長方形の発泡プラスチック断熱材ボードであり、短辺方向に沿って二本一組の嵌合用スリット３が２３０ｍｍ以下の間隔をもって７本形成され、これに補強材４が取外自在に差し込まれている。
【００１０】
この嵌合用スリット３は保温板本体の前面５から後面６側にかけて切り込まれた二本一組の垂直スリット７と、これらの垂直スリット７の先端部に、垂直スリット７と直交して内側に切り込まれた（対向状になって）水平スリット８とから構成されている。したがって、Ｌ字形のスリットが向かい合って嵌合用スリット３が構成され、この嵌合用スリット３に同じ形状の補強材４が差し込まれている。
【００１１】
この補強材４は普通軟鋼によって二枚の垂直片９と、これらを連結する水平片１０とから平面コ字形に形成され、垂直片９の先端部には内側に折れ曲がった折曲片１１が対向して形成されている。この補強材４は断面二次モーメントが２ｃｍ４以上を有するため、嵌合用スリット３に差し込まれたときには型枠の堰板として使用され（保温板本体２が補強されるので）、補強材４が嵌合用スリット３から引き抜かれたときには躯体に張り付けられた保温板１として使用される。
【００１２】
また補強材４は、図２の（２）に示すように、断面二次モーメントＩｘが２ｃｍ４以上（弾性率１×１０１１Ｐａ以上）を有するため、この補強材４を嵌合用スリット３に差し込んだ保温板１の強度は、たわみ荷重が３ｍｍたわみで約７０ｋｇ以上であり、曲げ弾性率が約１５０ＭＰ以上となり、型枠の堰板として使用可能になる。
【００１３】
この保温板１の形成方法は、はじめに上記の保温板本体２の前面に二本一組の嵌合用スリット３を適宜間隔ごとに形成する。これは糸鋸によって垂直スリット７を前面５側から後面６側にかけて所定の深さまで、すなわち所定の厚さを残して切り込んだ後、この先端部から横方向（前面と水平の方向）、すなわち二本の垂直スリット７の内側に向かって適宜長さ切り込んで水平スリット８を形成する。
【００１４】
この水平スリット８は垂直スリット７と直交して形成されたことにより、平面Ｌ字形のスリットが対向して嵌合用スリット３を形成する。そのため嵌合用スリット３には補強材４を保温板本体２の上面側または下面側からのみ差し込むことができ、前面５側からは差し込むことができない。
【００１５】
次に、この嵌合用スリット３に上記と同じ形状の補強材４を差し込むが、図１および図３に示すように、保温板本体２の上面側から補強材４を差し込んで、左側から右側の嵌合用スリット３にかけて順次差し込んで保温板１を形成する。
【００１６】
また図５および図６は第２の実施の形態の保温板１２である。これは保温板本体２に短辺方向に沿った縦側嵌合用スリット１３と、これに直交した横側嵌合用スリット１４とが形成され、これらの嵌合用スリット１３、１４に補強材１５、１６が差し込まれたものであり、これ以外は第１の実施の形態の保温板１と同じ構成である。
【００１７】
この保温板１２は、保温板本体２の縦横方向（短辺方向および長辺方向）に補強材１５、１６が設置されているため、強度をさらに大きくして、型枠の堰板として使用することができる。この縦側嵌合用スリット１３と横側嵌合用スリット１４に差し込まれた補強材１５、１６も取外自在となっている。
【００１８】
次に、この保温板１２の形成方法について説明する。はじめに保温板本体２の前面５に二本一組の縦側嵌合用スリット１３と、これに直交した二本一組の横側嵌合用スリット１４とを適宜間隔ごとに、上記と同じ方法で形成する。この場合も上記と同様に、補強材１５、１６を縦側嵌合用スリット１３と、横側嵌合用スリット１４とに保温板本体２の上面側または下面側からのみ差し込むことができ、前面側からは差し込むことができない。
【００１９】
次に、これらの縦側嵌合用スリット１３と横側嵌合用スリット１４とに補強材１５、１６を差し込む。はじめに、図５に示すように、横側嵌合用スリット１４に保温板本体２の一側面から他側面にかけて（図においては右側から左側にかけて）差し込む。
【００２０】
そして、この横側嵌合用スリット１４に差し込まれた補強材１５によって縦側嵌合用スリット１３が上下に分断されるため、上側の縦側嵌合用スリット１３には保温板本体２の上面から補強材１６を差し込むと共に、下側の縦側嵌合用スリット１３には保温板本体２の下面から補強材１６を差し込む。このようにして左側から右側の縦側嵌合用スリット１３にかけて補強材１６を順次差し込んでゆくと、図６に示すような保温板１が形成される。
【００２１】
また図７の（１）および（２）は第３の実施の形態の保温板１８である。これは保温板本体２の正面の垂直スリット７と水平スリット８とからなる嵌合用スリット１９に補強材２０を差し込んで形成したものであり、これ以外は第１の実施の形態の保温板１と同じ構成である。この嵌合用スリット１９は平面Ｌ字形のスリットを、水平スリット８が相反する方向に向くようにして形成したものである。
【００２２】
なお、この嵌合用スリット１９は保温板本体２の縦方向、すなわち短辺方向に沿って形成されているが、これは保温板本体２の横方向、すなわち長辺方向に沿って形成することもできる。
【００２３】
上記の（１）の補強材２０は、外側に折れ曲がった折曲片２１を備えた垂直片２２が水平片２３で接合されて形成されたものである。また（２）の補強材２４は水平片２３が折曲片２１と同じように垂直片２２から外側に突出して形成されたものであり、それ以外は（１）の補強材２０と同じ構成である。
【００２４】
この保温板１８も前記と同様に保温板本体２の上面または下面から嵌合用スリット１９に補強材２０、２４を差し込んで形成するものである。
【００２５】
また図８の（１）および（２）は第４の実施の形態の保温板２６である。これは保温板本体２の正面の垂直スリット７と水平スリット８とからなる平面Ｔ字形の嵌合用スリット２７に補強材２８、２９を差し込んで形成したものであり、これ以外は第１の実施の形態の保温板１と同じ構成である。
【００２６】
上記の（１）の保温板２６は嵌合用スリット２７に平面Ｈ形の補強材２８が差し込まれて形成されたものであり、保温板本体２の強度を大きくすることができる。また（２）の保温板２６は嵌合用スリット２７に平面Ｔ形の補強材２９が差し込まれて形成されたものである。
【００２７】
なお、この嵌合用スリット２７は保温板本体２の縦方向、すなわち短辺方向に沿って形成されているが、保温板本体２の横方向、すなわち長辺方向に沿って形成することもできる。
【００２８】
この保温板２６も前記と同様に保温板本体２の上面または下面から嵌合用スリット２７に補強材２８、２９を差し込んで形成するものである。
【００２９】
次に、保温板の使用方法について、第１の実施の形態の保温板１を用いて説明する。まず、工場などで嵌合用スリット３に断面二次モーメントＩｘが２ｃｍ４以上の補強材（弾性率１×１０１１Ｐａ以上）４が差し込まれた保温板１を製造する。この補強材４は工場で予め嵌合用スリット３に差し込んでも良いが、現場において差し込むようにしてもよい。
【００３０】
次に、図９に示すように、この保温板１を堰板にした型枠３１を組み立てるが、補強材４が縦側に位置するように組み立てて横側の外端太３２で支持すると、外側の合板３３と、内側の保温板１とからなる型枠３１が形成される。このように断面二次モーメントＩｘが２ｃｍ４以上の補強材４を取り付けた保温板１を堰板にした型枠３１は、図１０に示すように、水平方向の外端太３２の設置間隔３４を、合板の型枠と同じ設置間隔にすることができるとともに、合板の型枠における垂直の外端太を省くことができる。
【００３１】
次に、この型枠３１内へのコンクリートの打設前に保温板１の上面に粘着テープ（図示せず）を張って補強材４を覆う（またはコーキング材でコートする）。これは生コンが保温板１の上面に付着して補強材４が引き抜けなくなるのを防ぐものである。そして、この型枠３１内にコンクリート３５を打設し、これが硬化した後に型枠３１を解体すると、躯体３６の内側に保温板１が設置される。そして、この保温板本体２の上面から粘着テープを除去して、嵌合用スリット３から補強材４を引き抜くと、図１１に示すように、堰板としての役割が終わり保温板１として使用される。
【００３２】
なお、上記の保温板の設置方法は第１の実施の形態の保温板１を使用したが、その他の第２〜第４の実施の形態の保温板１２、１８、２６も同じ方法で使用する。
【図面の簡単な説明】
【００３３】
【図１】第１の実施の形態の保温板の形成方法の正面図である。
【図２】（１）は第１の実施の形態の保温板の一部省略斜視図、（２）は水平方向の断面図、（３）は（２）のＡ−Ａ線断面図である。
【図３】補強材を嵌合用スリットに差し込んで形成する保温板の斜視図である。
【図４】（１）は保温板の平面図、（２）は補強材の正面図である。
【図５】第２の実施の形態の保温板の形成方法の正面図である。
【図６】第２の実施の形態の保温板の斜視図である。
【図７】（１）および（２）は第３の実施の形態の保温板の形成方法の一部省略斜視図である。
【図８】（１）および（２）は第４の実施の形態の保温板の形成方法の一部省略斜視図である。
【図９】保温板を使用した型枠内にコンクリートを打設した断面図である。
【図１０】保温板の使用方法における型枠の正面図である。
【図１１】補強材が引き抜かれた保温板を躯体に設置した断面図である。
【図１２】（１）は従来の保温板の平面図、（２）は従来の保温板を使用した型枠内にコンクリートを打設した断面図である。
【符号の説明】
【００３４】
１、１２、１８、２６  保温板
２  保温板本体
３、１９、２７  嵌合用スリット
４、１５、１６、２０、２４、２８、２９、３８  補強材
５  保温板本体の前面
６  保温板本体の後面
７  垂直スリット
８  水平スリット
９、２２  垂直片
１０、２３  水平片
１１、２１  折曲片
１３  縦側嵌合用スリット
１４  横側嵌合用スリット
３１、３９  型枠
３２、４０、４１  外根太
３４  設置間隔
３５  コンクリート
３６  躯体
【図１】
2009287240.tif 000003
【図２】
2009287240.tif 000004
【図３】
2009287240.tif 000005
【図４】
2009287240.tif 000006
【図５】
2009287240.tif 000007
【図６】
2009287240.tif 000008
【図７】
2009287240.tif 000009
【図８】
2009287240.tif 000010
【図９】
2009287240.tif 000011
【図１０】
2009287240.tif 000012
【図１１】
2009287240.tif 000013
【図１２】
2009287240.tif 000014